(57)【特許請求の範囲】
【請求項１】
上端部及び下端部が横方向にシールされ、かつ縦方向に合掌部を有するピロー包装体であって、該合掌部の側端部領域の少なくとも１ヶ所に該合掌部を切断する手段が設けられていると共に、該切断手段が設けられている部分がピロー包装体本体の表面に密接するよう、該切断手段が設けられている部分に近接する上下の領域である合掌部領域Ａ及びＢがピロー包装体本体の表面にシールしており、該合掌部領域Ａがピロー包装体の上端部の横方向のシール部の位置と重なる場所に位置しており、かつ該合掌部の側端部が対向する側のピロー包装体の側端部領域であって該切断手段と略平行な位置にピロー包装体を開封する手段を有しているピロー包装体の製造方法であって、裏面はヒートシール性を有し、表面はヒートシール性を有さない構成のフィルムで、かつ該フィルムの表面の一方の側端部に合掌部領域ＡからＢを含む長さで、合掌部の幅の１．５〜５．０倍の幅で、ピロー包装体の長さを１周期として間歇的にシール剤が塗布されているフィルムを連続的に供給する工程、該表面を外側にしてフィルムを筒状に成型して包装体胴部を形成する工程、筒状に成型したフィルムの両端部の裏面同士を重ね合わせてシールすることにより合掌部を形成する工程、合掌部を切断する手段を設ける工程、合掌部を包装体胴部の表面に接するように折り曲げる工程、ヒートシールバーを用い、包装体胴部の下端部のシールを行う工程、必要により内容物を充填する工程、二本の略平行なヒートシールバーを用い、包装体胴部の上端部のシール、合掌部の上端部に位置する合掌部領域Ａと包装体表面とのシール、及び合掌部領域Ｂと包装体表面とのシールとを同時に行う工程、並びにピロー包装体を開封する手段を設ける工程、とを含む製造方法。
【請求項２】
上端部及び下端部が横方向にシールされ、かつ縦方向に合掌部を有するピロー包装体であって、該合掌部の側端部領域の少なくとも１ヶ所に該合掌部を切断する手段が設けられていると共に、該切断手段が設けられている部分がピロー包装体本体の表面に密接するよう、該切断手段が設けられている部分に近接する上下の領域である合掌部領域Ａ及びＢがピロー包装体本体の表面にシールしており、該合掌部領域Ａがピロー包装体の上端部の横方向のシール部の位置と重なる場所に位置しており、ピロー包装体の内面のうち合掌部領域Ｂの位置と重なる位置にジッパーを装着しており、かつ該合掌部の側端部が対向する側のピロー包装体の側端部領域であって該切断手段と略平行な位置にピロー包装体を開封する手段を有しているピロー包装体の製造方法であって、裏面はヒートシール性を有し、表面はヒートシール性を有さない構成のフィルムで、かつ該フィルムの表面の一方の側端部に合掌部領域ＡからＢを含む長さで、合掌部の幅の１．５〜５．０倍の幅で、ピロー包装体の長さを１周期として間歇的にシール剤が塗布されているフィルムを連続的に供給する工程、該フィルムの裏面にジッパー部材の片方の面をシールする工程、該表面を外側にしてフィルムを筒状に成型して包装体胴部を形成する工程、筒状に成型したフィルムの両端部の裏面同士を重ね合わせてシールすることにより合掌部を形成する工程、合掌部を切断する手段を設ける工程、合掌部を包装体胴部の表面に接するように折り曲げる工程、ヒートシールバーを用い、包装体胴部の下端部のシールを行う工程、必要により内容物を充填する工程、二本の略平行なヒートシールバーを用い、包装体胴部の上端部のシール、合掌部の上端部に位置する合掌部領域Ａと包装体表面とのシール、合掌部領域Ｂと包装体表面とのシール、及びジッパー部材の他方の面と包装体胴部とのシールとを同時に行う工程、並びにピロー包装体を開封する手段を設ける工程、とを含む製造方法。
【請求項３】
裏面はヒートシール性を有し、表面はヒートシール性を有さないフィルムであって、該フィルムの表面の一方の側端部に、合掌部領域ＡからＢを含む長さで、合掌部の幅の１．５〜５．０倍の幅で、ピロー包装体の長さを１周期として間歇的にシール剤が塗布されている、請求項１又は２に記載の方法に用いるフィルム。
【発明の詳細な説明】
【技術分野】
【０００１】
本発明は、食品等の固形物、中でもコーンフレーク等の細片状物を包装するのに適した、易開封機構を備えたピロー包装体及びその製造方法に関し、特に易開封機構を備えかつリクローズ機能を有したジッパー付きのピロー包装体及びその製造方法に関する。
【背景技術】
【０００２】
従来から、食品等を包装する際に食品等の変質を防止するために、上端部、下端部及び合掌部（背張部）の三方をヒートシールした、密封性の高いピロー包装体が広く用いられている。かかるピロー包装体には、その本体を構成するフィルムの選択により、防湿性、ガスバリア性、光遮性、又は耐突き刺し性等の機能を付与することができる。このようなフィルムは、通常、ベースフィルムからなるベースフィルム層、機能を有するフィルムからなる中間層及びシーラントフィルムからなるシーラント層から構成されており、これらフィルム構成を、内容物の種類等に応じ、適宜、選択することにより、ピロー包装体を、内容物の保存性に優れた強靭な積層樹脂フィルム製の軟質包装袋とすることができる。
【０００３】
これら積層樹脂フィルム製の軟質包装袋は、極めて強靭であるため素手で開封するのは必ずしも容易ではない。特に、包装体背面に縦方向の合掌部を有するピロー包装体においては、ピロー包装体の一方の側端から別の側端まで、合掌部に対して垂直方向に開封しようとしても、途中に合掌部が存在するために完全に切断することは容易ではなかった。中でも、内容物（被包装物）が箱体であれば開封を開始することによって開封線に張力がかかり易く開封の助けとなることもあるが、内容物がコーンフレーク等の細片状物等の場合にはそのようなことも期待できないため、その開封は特に困難であった。
【０００４】
かかる問題点を解決するための手段として、ピロー包装体の切断予定線上に位置する合掌部を構成するベースフィルムにミシン目状の切れ目線を設けた包装体（特許文献１）や、ピロー包装体の左右の一方の縁と背ばり部とにノッチを形成したノッチ付き包装体（特許文献２）や、包装体本体と合掌部との接線部分、つまり、いわゆる合掌部の付け根部分に開封用粗面部を設けた包装体が提案されている（特許文献３）。
【０００５】
しかしながら、上記提案された包装体は、いずれもその開封性は向上するものの、未だ充分に満足できるものであるとは言い難いものであった。これら包装体の開封性が不充分なのは、特許文献１及び２に記載の発明にあっては、合掌部側端方向から付け根方向に向かって切断をしようとしても、合掌部を切断するために設けられたミシン目状の切れ目線あるいはノッチが包装体本体に密接しておらず、更に、軟質包装袋が可撓性を有することもあって、合掌部を引き裂く力が充分には伝わらないからであると考えられる。また、特許文献３に記載の発明にあっては、合掌部を破壊する方向が合掌部の付け根から合掌部側端方向に進行するために、合掌部を切断する力が同時に合掌部のシールを剥離させる力としても作用する結果、当該シール部が剥離することによって切断線が途切れるといったことが起こるからであると考えられる。
【０００６】
一方、ジッパーを装着した軟質包装袋は、特にリクローズ性が要求されるような菓子、食品等の分野で広く使われている。近年、かかるジッパーを装着した軟質包装袋に関して、合掌部を背面に有するようなピロー包装体形状のジッパー付き軟質包装袋の連続的製造方法が確立された（特許文献４及び非特許文献１）。
【０００７】
しかしながら、このようなジッパーを装着したピロー包装体の開封性は充分に満足がいくものとはなっていなかった。ジッパーを有していないピロー包装体であれば合掌部と同じ縦方向に引き裂くことも可能であるが、上記ジッパーを装着したピロー包装体の場合には、ジッパーが横方向に装着されているため、ジッパー上部において、ジッパーと平行となるように横方向に開封しなければならなくなるからである。
【０００８】
この問題点に対しては、ジッパー上部にピロー包装体を横方向に切断するためのミシン目とさらにミシン目を付しても密封性と易開封性を保つことを可能とするためのイージーピール性の弱シール部とを設けた袋が提案されている（特許文献５）。
【０００９】
しかし、この包装体は、弱シール部によって密封性を確保しているため、包装体の密封性が通常のピロー包装体と比較すると著しく低下しており、本来、ピロー包装体が有する密封機能を十分には発揮できないものとなってしまっている。
【特許文献１】特開平８−９１３９２号公報（第１〜２頁、第３頁右欄第３７〜４１行、第１図）
【特許文献２】特開平１１−２６３３７４号公報（第１〜２頁、第１図）
【特許文献３】特開２０００-１０３４３７号公報（第１〜２頁、第１図）
【特許文献４】特開平１０−２９６８８４号公報（第１〜２頁）
【特許文献５】特開２００３−２４６３３２号公報（第１〜２頁、第１図）
【非特許文献１】増田謙一、「縦型ピロー包装機ベース（ＶＦＦＳ）インラインジッパー取付けパウチ・システム概要」、包装技術、平成１４年８月号、p.１４−１７
【発明の開示】
【発明が解決しようとする課題】
【００１０】
前述したように、ピロー包装体の開封性が改善されたとされる従来の軟質包装袋では、その開封性は必ずしも充分に満足いくものではなかった。さらに、ジッパーを装着した易開封性のピロー包装体においては、ピロー包装体本来の密封性を充分に備えた軟質包装袋はこれまで提供されてこなかった。
【００１１】
本発明は、かかる従来技術の問題点を解決することができる易開封機構を備えたピロー包装体及びその製造方法を提供することにある。
【課題を解決するための手段】
【００１２】
以上のような課題を解決するために、本発明においては、まず、上端部及び下端部が横方向にシールされ、かつ縦方向に合掌部を有するピロー包装体であって、該合掌部の側端部領域の少なくとも１ヶ所に該合掌部を切断する手段を有していると共に、該切断手段を有する領域がピロー包装体本体の表面に密接しており、かつ該合掌部の側端部が対向する側のピロー包装体の側端部領域であって該切断手段と略平行な位置にピロー包装体を開封する手段を有しているピロー包装体、を提供する。
【００１３】
さらに、上記本発明のピロー包装体の好適な製造方法として、裏面はヒートシール性を有し、表面はヒートシール性を有さない構成のフィルムで、かつ該フィルムの表面の一方の側端部に合掌部領域ＡからＢを含む長さで、合掌部の幅の１．５〜５．０倍の幅で、ピロー包装体の長さを１周期として間歇的にシール剤が塗布されているフィルムを連続的に供給する工程、該表面を外側にしてフィルムを筒状に成型して包装体胴部を形成する工程、筒状に成型したフィルムの両端部の裏面同士を重ね合わせてシールすることにより合掌部を形成する工程、合掌部を切断する手段を設ける工程、合掌部を包装体胴部の表面に接するように折り曲げる工程、ヒートシールバーを用い、包装体胴部の下端部のシールを行う工程、必要により内容物を充填する工程、二本の略平行なヒートシールバーを用い、包装体胴部の上端部のシール、合掌部の上端部に位置する合掌部領域Ａと包装体表面とのシール、及び合掌部領域Ｂと包装体表面とのシールとを同時に行う工程、並びにピロー包装体を開封する手段を設ける工程、とを含む製造方法、をも提供する。
【発明の効果】
【００１４】
本発明によれば、通常のピロー包装体の密封性を損なうことなく、縦方向の合掌部の存在にかかわらず横方向にピロー包装体を切断して、容易に開封することができる。特に、ピロー包装体がジッパーを有する場合にその威力を発揮することができる。また、このようなジッパーを有するピロー包装体を公知の装置、方法を用いて簡便に連続的に製造することができる。
【発明を実施するための最良の形態】
【００１５】
まず、本発明においては、包装体の上端部及び下端部が横方向にシールされている。かかるシールは、包装体を構成するフィルムの内面同士が相対した状態で行われている。また、合掌部は、これら横方向のシールとは略直交する形で、縦方向に設けられており、通常、包装体の背面に位置している。
【００１６】
このように、包装体を構成するフィルムは、その内面同士がシールされるため、かかるフィルムとしては、通常、プラスチックを主体とする積層フィルムであって、その一方の面（裏面あるいは最内層）をヒートシール性を有するシーラント層とし、他方の面（表面あるいは最外層）をヒートシール性を有さない層とするフィルムが好ましく用いられる。従って、最も簡単な構成としては、ベースフィルム層にシーラント層を積層して構成したフィルムを挙げることができるが、これ以外にも充填される内容物の違い等によって要求される種々の性能に応じて、様々な構成を採用することができる。例えば、上記ベースフィルム層とシーラント層との間に、中間層として、防湿機能を持つフィルム層、ガスバリア機能を持つフィルム層、遮光層、耐突き刺し機能を持つフィルム層等、各種の層を積層して構成することができる。また、上記ベースフィルム層、中間層、シーラント層は、それぞれ単独の層で形成してもよいが、それぞれを複数の層を積層して形成してもよい。
【００１７】
上記ベースフィルム層としては、ポリエチレンやポリプロピレンの一軸又は二軸延伸フィルムのほか、ポリエチレンテレフタレートやポリエチレンナフタレート等の一軸又は二軸延伸ポリエステルフィルムや、ナイロン６、ナイロン６６、ＭＸＤ６（ポリメタキシリレンアジパミド）等の一軸又は二軸延伸ポリアミドフィルム等を好適に用いることができる。特に開封性の観点から、一軸延伸フィルムが好ましい。これらは単独で使用してもよく、また、複数を組み合わせて積層して使用することもできる。
【００１８】
また、中間層を防湿層とする場合、中間層には、高密度ポリエチレンフィルムや二軸延伸ポリプロピレンフィルム（ＯＰＰフィルム）などのフィルムが好適に用いることができる。一方、中間層をガスバリア層とする場合、中間層には、エチレン酢酸ビニル共重合体ケン化物（ＥＶＯＨ），ポリ塩化ビニリデン（ＰＶＤＣ）、ポリアクリロニトリル（ＰＡＮ）などのフィルムが好適に用いることができる。これらフィルムのほかに、アルミニウム箔、あるいは、シリカ、アルミナ、アルミニウムなどの蒸着層やＰＶＤＣの塗膜層等を設けることもでき、この場合には、前記ベースフィルム層の内面に直接蒸着又は塗布して形成してもよく、また、別の二軸延伸ナイロンフィルム（ＯＮフィルム）、二軸延伸ポリエチレンテレフタレートフィムル（ＰＥＴフィルム）、ＯＰＰフィルム等に形成しておいて、そのフィルムを中間層に積層してもよい。これらのうち、アルミニウム箔とアルミニウム蒸着層は、不透明であるため遮光層を兼ねることもできる。また、中間層を耐突き刺し機能を持つフィルム層とする場合には、中間層としてはナイロンフィルムが好適に使用される。
【００１９】
さらに、最内層のシーラント層としては、低密度ポリエチレン（ＬＤＰＥ）、直鎖状低密度ポリエチレン（ＬＬＤＰＥ）のほか、エチレンαオレフィン共重合体、エチレン酢酸ビニル共重合体、エチレンアクリル酸共重合体、エチレンアクリル酸エステル共重合体、ポリプロピレンまたはその共重合体等を用いることができる。
【００２０】
次に、本発明においては、合掌部の側端部領域の少なくとも１ヶ所に該合掌部を切断する手段を有していることが必要である。ここで、「合掌部の側端部」とは、合掌部をピロー包装体本体の表面から起こした際に、合掌部のうちで包装体本体表面から最も離れた位置にある部分を指す。なお、これに対して、包装体本体表面と合掌部とが接合している部分については、「合掌部の付け根部分」と称する場合がある。
【００２１】
該切断手段としては、ＩノッチやＶノッチといった各種の切れ込みや、該当領域に細かい傷をつけたり、細かい穿孔を設けたりした、切断用粗面部等が挙げられ、簡便に製造できる点からは、Ｉノッチであることが好ましい。また、切れ込みを用いる場合、その本数は、少なくとも１本であり、好ましくは２〜５本である。また、ＩノッチとＶノッチとの併用等、異なる種類の切れ込みを組み合わせて用いることもできる。また、これら切断手段は、合掌部側端部から合掌部の付け根方向に向かって、合掌部の幅の、好ましくは８０％以内の範囲、さらに好ましくは５０％以内の範囲に設けられる。このように、ノッチを合掌部側端側から合掌部の全幅よりも短い長さで設けることにより、ピロー包装体本来の密封性を損なうことなく切断手段を設けることができ、また、該切断手段を設ける際に、ピロー包装体本体を構成しているフィルムを誤って傷をつけてしまい、密封性を損なうことも防止することができる。
【００２２】
さらに、本発明では、該切断手段を有する領域がピロー包装体本体の表面に密接していることが必要である。このように、切断手段を有する領域がピロー包装体本体の表面に密接していることにより、可撓性の軟質包装袋にあっても合掌部を容易に切断することができるようになる。特に、本発明にあっては、内容物（被包装物）が箱体のようなものでなく、コーンフレーク等の細片状物であっても容易に切断することができるのである。
【００２３】
ここで、「密接している」とは、当該領域が包装体表面にほとんど隙間なく接しており、開封時に包装体表面から容易には剥離しないような状態にあることを意味するものである。かかる「密接」した状態とするためには、当該領域とそれに対応する包装体本体の表面とをシールする他、当該領域自体は包装体本体の表面とはシールしていなくとも、当該領域の両側部分（以下、合掌部領域Ａ及びＢという場合がある）とそれに対応する包装体本体の表面とをシールすることにより、結果的に当該領域を「密接」した状態とするといった手段を用いることもできる。
【００２４】
かかる合掌部の各領域とピロー包装体本体の表面とをシールする手段としては、接着テープにより接着する方法やシール剤を用いる方法が挙げられ、シール剤を用いる方法としては、特に該領域及び／又はピロー包装体本体の表面（以下、シール部分という場合がある）に予めヒートシールニス等のホットシール剤を付着させておいてからヒートシールにより接着する方法、シール部分にホットメルトを吹き付けて接着する方法、シール部分に予めコールドシール剤を付着させておいてから押圧することにより接着する方法等が挙げられるが、作業性の観点からは該領域とこれに対応するピロー包装体本体の表面部分との両方にヒートシールニス等のホットシール剤を付着させておき、製袋工程においてヒートシールを行うことが好ましい。ヒートシールニスとしては、エチレンビニルアルコール（ＥＶＡ）が好適である。
【００２５】
また、切断手段の両側部分をシールする場合には、合掌部領域Ａ及びＢのうちの一方（合掌部領域Ａ）は、ピロー包装体の上端部の横方向のシール部の位置と対応する場所に位置しているのが好ましい。ピロー包装体の横方向シール部は、通常、合掌部を形成した後にシールするので、このように両者の位置を合わせておくことによって、ヒートシールバーを用いた１回のシールによって、上端部の横方向のシールと該合掌領域Ａのピロー包装体本体表面とのシールとを同時に行うことが可能となり、シール工程の簡略化を図ることができるからである。
【００２６】
さらに、本発明では、ピロー包装体は、合掌部の側端部が対向する側の該包装体の側端部領域であって該切断手段と略平行な位置に該包装体を開封する手段を有している必要がある。ピロー包装体には左右２つの側端部が存在するわけであるが、本発明においては、ピロー包装体は、合掌部を折り曲げて包装体本体の表面に密接させた際に合掌部の側端部が対向する側、つまり、合掌部を右側に折り曲げた場合には包装体の右側端部側、合掌部を左側に折り曲げた場合には包装体の左側端部側に包装体を開封する手段を有しているのである。しかも、かかる開封手段は、該切断手段と略平行な位置に、つまり、上下の位置関係としてみた場合に、該開封手段と該切断手段とは、ほぼ同様の高さに位置するよう設けられている。
【００２７】
かかる開封手段としては、ＩノッチやＶノッチといった各種の切れ込みや、該当領域に細かい傷をつけたり、細かい穿孔を設けたりした切断用粗面部等、合掌部の切断手段として上記したのと同様のものを用いることができる。また、開封手段が１本の切れ込みであるのに対して、合掌部を切断する手段が複数、例えば３本の切れ込みであるような場合には、該開封手段の切れ込みは、該合掌部の３本の切れ込みのうち、中央の切れ込みと同じ高さに位置するように設けるのが好ましい。
【００２８】
また、かかる開封手段を有する領域における包装体の内面同士は互いにシールされているのが好ましい。ピロー包装体の密閉性を維持するためである。該領域は、ピロー包装体上端部の横方向のシール部分と近接した位置に設けられることが好ましく、接していることが特に好ましい。これにより、該横方向シール部を設けるのと同時に、該シール領域を設けることが容易にできるようになるからである。
【００２９】
さらに、本発明においては、ピロー包装体の内面にジッパーを装着しているのが好ましい。リクローズ性を付与することができるからである。ここで、「ジッパー」としては、公知の各種のものを用いることができ、特に特許文献４及び５、並びに非特許文献１に記載されているようなものが好ましく用いられる。
【００３０】
かかるジッパーは、通常、包装体の上端近傍であって、合掌部を切断する手段及びピロー包装体を開封する手段よりも下方に装着される。ジッパーのリクローズ機能を発揮させるためには、ジッパーよりも上方で横方向にピロー包装体を開封する必要があるからである。
【００３１】
また、ジッパーの装着は、製造工程の簡略化等の観点から、好ましくはヒートシールにより行われる。そのため、ジッパーを装着するにあたっては、特許文献４及び５、並びに非特許文献１に記載されているような、ジッパー本体とヒートシール性を有するフランジ部分とからなるジッパー部材が好ましく用いられる。
【００３２】
さらに、ジッパーの装着位置は、合掌部領域Ｂの位置と対応する位置とするのが好ましい。このように両者の位置を合わせておくことによって、ヒートシールバーを用いた１回のシールによって、ジッパーの装着と該合掌領域Ｂのシールとを同時に行うことが可能となり、シール工程の簡略化を図ることができるからである。
【００３３】
次に本発明のピロー包装体の製造方法について説明する。
【００３４】
本発明のピロー包装体は、通常、前述したような裏面はヒートシール性を有し、表面はヒートシール性を有さない構成のフィルムを用いて、該表面を外側にしてフィルムを筒状に成型して包装体胴部を形成する工程、筒状に成型したフィルムの両端部の裏面同士を重ね合わせてシールすることにより合掌部を形成する工程、合掌部を切断する手段を設ける工程、合掌部を包装体胴部の表面に接するように折り曲げる工程、包装体胴部の下端部のシールを行う工程、必要により内容物（被包装物）を充填する工程、包装体胴部の上端部のシールを行う工程、及びピロー包装体を開封する手段を設ける工程、とを含む方法であって、合掌部の形成後の任意の段階で切断手段を有する領域あるいは合掌部領域Ａ及びＢをピロー包装体本体の表面にシールする等して該切断手段を有する領域をピロー包装体本体の表面に密接させる段階を含む方法により製造することができる。
【００３５】
かかる製造に際しては、予め所定の大きさに切断されたフィルムを用いてピロー包装体を１つづつ個別に製袋することもできるし、また、長尺の巻き取りフィルムを用いて連続的に製袋することもできる。
【００３６】
長尺の巻き取りフィルムを用いて連続的に製袋する場合、合掌部をシールする手段としては、間歇的な直線形状のヒートシールバー、又は連続的なロータリーヒートシールをとることができる。これらのヒートシールバーに合掌部を切断する刃を設置すると上記製造方法を簡便に実施することができる。一方、ローターリーヒートシールにおいても決まった位置で合掌部を切断する刃を設置することにより本発明の上記製造方法を簡便に実施することができる。特に、位置を厳格に決める観点からは間歇的な直線形状のヒートシールバーを用いることが好ましい。
【００３７】
また、長尺の巻き取りフィルムを用いて連続的に製袋する場合には、合掌部を形成する工程よりも前に、ヒートシールニス等のホットシール剤を該巻き取りフィルムの所定の箇所に塗布しておくことも好ましい。そのためには、予めホットシール剤を塗布した巻き取りフィルムを準備しておき、このホットシール剤塗布済みの巻き取りフィルムを包装体製造に供する方法や、巻き取りフィルムから包装体を製造する際にインラインでホットシール剤を塗布する方法等が用いられるが、予めホットシール剤を塗布した巻き取りフィルムを準備しておく方が好ましい。また、巻き取りフィルムにホットシール剤を塗布する場合には、得られるピロー包装体の長さを１周期として間歇的に塗布することが好ましい。巻き取りフィルムの一部分が太くなるのを防ぐことができるからである。
【００３８】
特に、合掌部領域Ａ及びＢをピロー包装体本体の表面にシールする場合であって、かつ合掌部領域Ａが、ピロー包装体の上端部の横方向のシール部の位置と対応する場所に位置している場合や、さらにピロー包装体の内面のうち、合掌部領域Ｂの位置と対応する位置にジッパーを装着する場合には、シーラント層とは反対のフィルム面であって、ピロー包装体に製袋したときに合掌部領域Ａ及びＢとそれに対応する包装体本体の表面部分となる部分、それぞれにホットシール剤が塗布されているのが好ましい。巻き取りフィルムの状態でいうと、特に、当該フィルムの一方の側端部領域に合掌部領域ＡからＢを含む長さで、合掌部の幅の１．５〜５．０倍、好ましくは２〜４倍の幅で、得られるピロー包装体の長さを１周期として間歇的にホットシール剤を塗布するようにすることが好適である。これにより、ピロー包装体の上端部の横方向シール部を設けるのと同時に合掌部領域Ａとピロー包装体の本体表面とをシールすることや、ジッパー部材の他方の面と包装体内面とのシール部を設けるのと同時に合掌部領域Ｂと包装体表面とをシールすることが簡便にできるようになるからである。
【００３９】
従って、かかるホットシール剤塗布済みの巻き取りフィルムを用いると、合掌部領域Ａ及びＢをピロー包装体本体の表面にシールする場合であって、かつ合掌部領域Ａが、ピロー包装体の上端部の横方向のシール部の位置と対応する場所に位置している場合には、当該ピロー包装体は、好ましくは、裏面はヒートシール性を有し、表面はヒートシール性を有さない構成のフィルムであって、かつ該フィルムの表面の一方の側端部に合掌部領域ＡからＢを含む長さで、合掌部の幅の１．５〜５．０倍の幅で、ピロー包装体の長さを１周期として間歇的にシール剤が塗布されているフィルムを連続的に供給する工程、該表面を外側にしてフィルムを筒状に成型して包装体胴部を形成する工程、筒状に成型したフィルムの両端部の裏面同士を重ね合わせてシールすることにより合掌部を形成する工程、合掌部を切断する手段を設ける工程、合掌部を包装体胴部の表面に接するように折り曲げる工程、ヒートシールバーを用い、包装体胴部の下端部のシールを行う工程、必要により内容物を充填する工程、二本の略平行なヒートシールバーを用い、包装体胴部の上端部のシール、合掌部の上端部に位置する合掌部領域Ａと包装体表面とのシール、及び合掌部領域Ｂと包装体表面とのシールとを同時に行う工程、並びにピロー包装体を開封する手段を設ける工程、とを含む方法により製造することができる。
【００４０】
これに加えて、さらに、ピロー包装体の内面のうち、合掌部領域Ｂの位置と対応する位置にジッパーを装着する場合には、当該ピロー包装体は、好ましくは、裏面はヒートシール性を有し、表面はヒートシール性を有さない構成のフィルムで、かつ該フィルムの表面の一方の側端部に合掌部領域ＡからＢを含む長さで、合掌部の幅の１．５〜５．０倍の幅で、ピロー包装体の長さを１周期として間歇的にシール剤が塗布されているフィルムを連続的に供給する工程、該フィルムの裏面にジッパー部材の片方の面をシールする工程、該表面を外側にしてフィルムを筒状に成型して包装体胴部を形成する工程、筒状に成型したフィルムの両端部の裏面同士を重ね合わせてシールすることにより合掌部を形成する工程、合掌部を切断する手段を設ける工程、合掌部を包装体胴部の表面に接するように折り曲げる工程、ヒートシールバーを用い、包装体胴部の下端部のシールを行う工程、必要により内容物を充填する工程、二本の略平行なヒートシールバーを用い、包装体胴部の上端部のシール、合掌部の上端部に位置する合掌部領域Ａと包装体表面とのシール、合掌部領域Ｂと包装体表面とのシール、及びジッパー部材の他方の面と包装体胴部とのシールとを同時に行う工程、並びにピロー包装体を開封する手段を設ける工程、とを含む方法により製造することができる。
【００４１】
これらの製造方法には、特許文献４や非特許文献１に記載されたような装置を利用することが好ましい。
【００４２】
以上の通り、上記製造方法によれば、ジッパーを装着した易開封機構を備えたピロー包装体を簡便に製造することができる。
【実施例】
【００４３】
以下に、図面を用いて本発明を更に具体的に説明する。但し、本発明は、これらの図面に限定されるものではない。
【００４４】
まず、図１は、本発明ピロー包装体の一実施形態を示す背面図であり、このピロー包装体１には、ジッパー２０が装着されている。なお、図１において斜線を付している場所は、ピロー包装体１を構成するフィルム同士がそれぞれヒートシールされている場所である（ジッパーの各フランジ部とピロー包装体１を構成するフィルムとのシール部の斜線は省略している）。
【００４５】
ピロー包装体１は、その構成するフィルムの内面がヒートシール面に、一方、外面が非ヒートシール面となっており、上端部２及び下端部３がピロー包装体１を構成するフィルムのヒートシール面同士を重ね合わせてそれぞれ横方向にシールされている。さらに、ピロー包装体１の背面のほぼ中央部には、合掌部４が縦方向に上端から下端まで貫いているような形状に形成され、右側に折り曲げられている。合掌部４は、フィルムの両端部のヒートシール面同士を重ね合わせてシールすることによって設けられている。
【００４６】
また、合掌部の側端部５のうち、ジッパー２０が装着されている位置の上方部分には、合掌部を切断する手段として、３本のＩノッチからなる切込み６が設けられている。切り込みの長さ、つまりノッチの深さは、いずれも合掌部４の幅の２７％である。
【００４７】
さらに、合掌部のうち、切り込み６の上下両側であって、上端部２の横方向のシール部の位置と対応する位置が合掌部領域Ａにあたり、一方、ジッパー２０を装着した位置と対応する位置が合掌部領域Ｂにあたる。これら合掌部領域Ａ及びＢは、いずれもヒートシールニスを用いてピロー包装体本体の表面にシールされており、これにより、結果的に切り込み６の領域がピロー包装体本体の表面に密接している。
【００４８】
また、切り込み６が対応する側、つまり右側のピロー包装体の側端部７であって、３本のＩノッチからなる切り込み６のうち、中央のノッチと同一の高さに、ピロー包装体を開封する手段として、１本のＩノッチ８が設けられている。このＩノッチ８を含む領域９の内面は、フィルムのヒートシール面同士を重ね合わせてシールされており、該シール部分は上端部の横方向のシール部分と連続している。
【００４９】
さらに、図１のピロー包装体１をＩＩ-ＩＩ面で切断した図である図２を用いて、本発明の易開封機構部分のシールの状態及びジッパー部分等について更に詳しく説明する。なお、図２においてドット模様のある場所はそれぞれヒートシールされている場所である。
【００５０】
まず、ピロー包装体１の合掌部４には、３本のＩノッチからなる切り込み６が設けられており、その両側に合掌部領域Ａ（上側、図２では右側に相当）及びＢ（下側、図２では左側に相当）がある。
【００５１】
また、ピロー包装体１の上端部（図２では右端側に相当）では、包装体本体を構成するフィルムのうち正面側のフィルム１０と背面側のフィルム１１とが重ね合わさりヒートシール部Ｓ１を形成している。更に、合掌部領域Ａとピロー包装体の背面側のフィルム１１との間にはヒートシール部Ｓ２が形成されており、Ｓ１とＳ２とが対応する位置関係にあることがわかる。
【００５２】
一方、合掌部領域Ｂとピロー包装体の背面側のフィルム１１との間にはヒートシール部Ｓ３が形成されている。また、ジッパー部材２１（詳細は以下に説明する）とピロー包装体の背面側フィルムの内面との間にはヒートシート部Ｓ４が形成されており、Ｓ３とＳ４とが対応する位置関係にあることがわかる。
【００５３】
次に、ジッパー部材２１は、凹型ジッパー２２、凹型ジッパー２２のフランジ部２３、凸型ジッパー２４及び凸型ジッパー２４のフランジ部２５とから構成され、凹型ジッパー２２の凹部と凸型ジッパー２４の凸部が嵌合することによって図２のようなジッパー嵌合部２６を構成する。また、凹部ジッパー２２のフランジ部２３は、凹型ジッパー２２よりも上部部分にしか存在しないか、または、ジッパー２２よりも上部部分のフランジ部がジッパー２２よりも下部部分のフランジ部よりも長くなるようになっており、一方、凸部ジッパー２４のフランジ部２５は、凸部ジッパー２４の上下部分共にほぼ均等な長さになっている。このように凹部ジッパー２２のフランジ部２３と凸部ジッパー２４のフランジ部２５の長さとに違いを設けるのは、ジッパーを装着したピロー包装体を連続的に製造する方法において、フィルムを筒状にする前に包装体を構成するフィルムに予めジッパーをシールするのを容易にするためである。そのため、凹型ジッパー２２のフランジ部２３は上部部分の１ヶ所で、一方、凸型ジッパー２４のフランジ部２５は上部部分及び下部部分の２ヶ所で、それぞれフィルム内面にヒートシールしている。
【００５４】
なお、フランジ部２３及び２５は、シーラント層単層から構成されていてもよく、シーラント層と非熱融着性または熱接着温度の高い樹脂層の２層で構成されていてもよい。もちろん、この２層に限ることなく、例えば中間層に接着性向上層を設けるなど３層以上の多層で構成することもできる。また、フランジ部２３及び２５がシーラント層単層からなる場合、凹部ジッパー２２のフランジ部２３と凸部ジッパー２４のフランジ部２５との向かい合う面同士の接着を防止するため、ヒートシール温度や時間を適宜調整しなければならない。一方、フランジ部２３及び２５を、シーラント層と非熱融着性または熱接着温度の高い樹脂層の２層で構成し、嵌合部側に非熱融着性または熱接着温度の高い樹脂の層が存在し、ピロー包装体の内表面側にシーラント層が存在するようにすれば、ジッパーがピロー包装体内表面にシールできて、かつ、凹部ジッパー２２のフランジ部２３と凸部ジッパー２４のフランジ部２５との向かい合う面同士の接着を防止することができる。
【００５５】
図３は、本発明の易開封機構部分における背面の表面図（図３Ａ）、及び合掌部領域Ａ及びＢとピロー包装体１の本体表面とのシール部Ｓ２及びＳ３とを剥離し、左側方向に折り返した図（図３Ｂ）である。背面の表面には、ヒートシールニスを付着させている部分１２があり、図３Ｂからは、ヒートシールニス付着部分１２が、横方向には合掌部の側端部５からピロー包装体本体の表面の一部に至るまで、合掌部の幅の約３倍にわたって連続しており、一方、縦方向には合掌部の上端部から合掌部領域Ａ及びＢを含みつつ、更にその先まで連続していることがわかる。また、合掌部領域Ａ及びＢとピロー包装体本体表面とのシール部分は、それぞれシール部跡Ｓ２’及びＳ３’として確認できる。
【００５６】
開封方法等
ピロー包装体１は、Ｉノッチ８の上下（Ｉノッチを含む領域９の近辺及びピロー包装体１の右上端部近辺）を把持し、該上下のいずれか一方をピロー包装体の正面から背面方向あるいは背面から正面方向に力を加えることにより引き裂き、開封を開始すると、開封線が切り込み６に向かって形成される。開封が進み、開封線が切り込み６に達すると、切り込み６を有する領域は合掌部領域Ａ及びＢによって包装体本体の表面に密接しているため、切り込み６に正面から背面方向あるいは背面から正面方向に引き裂く力が加わる。その結果、合掌部４は、切り込み６の部分から切断が開始される。合掌部４が切断されれば、開封線は、包装体胴部２の他の側端まで容易に達することができ、ピロー包装体１は開封される。
【００５７】
開封されたピロー包装体１は、その内容物を一部取り出して、ジッパー２０の凹型ジッパー２２と凸型ジッパー２４を嵌合させてリクローズすることができる。
【図面の簡単な説明】
【００５８】
【図１】本発明のピロー包装体の一実施形態を示す背面図である。
【図２】図１のピロー包装体１をＩＩ-ＩＩ面で切断した図である。
【図３】ピロー包装体１の易開封機構部分における背面の表面図（図３Ａ）、及び合掌部領域Ａ及びＢとピロー包装体１の本体表面とのシール部Ｓ２及びＳ３とを剥離し、左側方向に折り返した図（図３Ｂ）である。
【符号の説明】
【００５９】
１  ピロー包装体
２  ピロー包装体１の上端部
３  ピロー包装体１の下端部
４  合掌部
５  合掌部の側端部
６  ３本のＩノッチからなる切り込み
７  ピロー包装体１の右側端部
８  Ｉノッチ
９  Ｉノッチを含む領域
１０  包装体本体を構成するフィルムのうち、正面側のフィルム
１１  包装体本体を構成するフィルムのうち、背面側のフィルム
１２  ヒートシールニス付着部分
２０  ジッパー
２１  ジッパー部材
２２  凹型ジッパー
２３  凹型ジッパーのフランジ部
２４  凸型ジッパー
２５  凸型ジッパーのフランジ部
２６  ジッパー嵌合部
Ａ  合掌部領域Ａ
Ｂ  合掌部領域Ｂ
Ｓ１〜Ｓ４  ヒートシール部
Ｓ２’及びＳ３’  シール部跡
【要約】
【目的】ピロー包装体本来の密封性を損なうことなく、縦方向の合掌部の存在にかかわらずピロー包装体及びジッパーを装着したピロー包装体を横方向に切断して容易に開封することができる軟質包装袋を提供する。
【構成】本発明は、上端部及び下端部が横方向にシールされ、かつ縦方向に合掌部を有するピロー包装体であって、該合掌部の側端部の少なくとも１ヶ所に該合掌部を切断する手段を有していると共に、該切断手段を有する領域がピロー包装体本体の表面に密接しており、かつ該合掌部の側端部が対向する側のピロー包装体の側端部であって該切断手段と略平行な位置にピロー包装体を開封する手段を有しているピロー包装体である。
【選択図】図１
【図１】
0003653092.tif 000002
【図２】
0003653092.tif 000003
【図３】
0003653092.tif 000004